【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
液晶層が挟持された一対の基板からなる液晶セルの少なくとも一方の表面に貼り付けられる液晶装置用偏光体であって、
該偏光体は、
光学異方性を示す光学軸を有する少なくとも１枚の偏光板と、
該偏光板の一方の面を覆う保護フィルムと、
該偏光板の他方の面を覆うように設けられた粘着層と、
該粘着層を覆う離型フィルムとを具備し、
該保護フィルムまたは該離型フィルムのいずれか１つは、該偏光板よりも大きい面積を有しており、
該偏光板よりも大きい面積を有する保護フィルムまたは離型フィルムは、偏光板形状外表面に、該偏光体を、該液晶セル表面に貼り付ける際の該偏光板配置を示す加工が付加していることを特徴とする液晶装置用偏光体。
【請求項２】
前記加工が、形状加工であることを特徴とする請求項１に記載の液晶装置用偏光体。
【請求項３】
前記偏光板よりも大きい面積を有する保護フィルムまたは離型フィルムの一辺が、前記偏光板の光学軸方向と平行な形状を有することを特徴とする請求項２に記載の液晶装置用偏光体。
【請求項４】
前記偏光板が、矩形形状であることを特徴とする請求項１〜３のいずれか１項に記載の液晶装置用偏光体。
【請求項５】
前記偏光板が、正多角形形状であることを特徴とする請求項１〜３のいずれか１項に記載の液晶装置用偏光体。
【請求項６】
前記偏光板が、円形状であることを特徴とする請求項１〜３のいずれか１項に記載の液晶装置用偏光体。
【請求項７】
前記加工が、印加工であることを特徴とする請求項１に記載の液晶装置用偏光体。
【請求項８】
前記偏光板よりも大きい面積を有する保護フィルムまたは離型フィルムの一辺が、前記偏光板の光学軸方向と平行な印を有することを特徴とする請求項７に記載の液晶装置用偏光体。
【請求項９】
液晶層が挟持された一対の基板からなる液晶セルの少なくとも一方の表面に貼り付けられる液晶装置用偏光体の製造方法であって、
該偏光体は、
光学異方性を示す光学軸を有する少なくとも１枚の偏光板と、
該偏光板の一方の面を覆う保護フィルムと、
該偏光板の他方の面を覆うように設けられた粘着層と、
該粘着層を覆う離型フィルムとを具備し、
偏光原板から、所定形状の偏光体原板を形成する工程と、
該偏光体原板の保護フィルムまたは離型フィルムのいずれか１つが、偏光板よりも大きい面積を有し、かつ、該偏光板よりも大きい面積を有する保護フィルムまたは離型フィルムの偏光板形状外表面に、該偏光体を、該液晶セル表面に貼り付ける際の偏光板配置を示すよう、加工を施し、所定形状の偏光体を形成する工程と、を備えたことを特徴とする液晶装置用偏光体の製造方法。
【手続補正２】
【補正対象書類名】明細書
【補正対象項目名】０００２
【補正方法】変更
【補正の内容】
【０００２】
液晶装置は、図１に示す構成の一例である断面模式図のように、液晶装置３１として、一般的に、液晶、配向膜、透明電極などよりなる、液晶層を挟持する一対のガラス製の透明の基板からなる液晶セル３２の表面に、粘着層３を介して貼り付けられたＣＦ側（ｃｏｌｏｒ  ｆｉｌｔｅｒ側）偏光板１と、ＴＦＴ側（ｔｈｉｎ  ｆｉｌｍ  ｔｒａｎｓｉｓｔｏｒ側）偏光板２を有している。
該液晶セル表面に偏光板１、２を貼り付ける際には、液晶セル３２の光学軸（液晶の分子軸）方向と、各偏光板１，２の光学軸（透過軸あるいは吸収軸）方向とを、所定の光学設計条件位置に合わせて貼り付ける必要がある。具体的には図１の場合、液晶セル３２は、配向方向が異なる２つの配向膜で液晶分子が９０°ねじれる状態とした上で、ＣＦ側偏光板１と、ＴＦＴ側偏光板２とが、各近傍の液晶セル３２の配向膜の液晶の分子軸と同方向で、かつ、各偏光板光学軸が、互いに９０度ずれるようにして貼り付ける。
ここで該各偏光板の光学軸が、光学設計条件からずれた状態で貼り付けられてしまった場合、所望の光学特性が得られず、表示品質の低下を招くおそれがあった。
【手続補正３】
【補正対象書類名】明細書
【補正対象項目名】０００７
【補正方法】変更
【補正の内容】
【０００７】
しかしながら、上記技術には以下の課題がある。まず特許文献１では、偏光板自体を、該偏光板の光学軸に合わせて外形カットしなくてはならないため、偏光板形状が制限されてしまう、という課題があった。
また特許文献１〜４で偏光板に使用される、保護フィルムや離型フィルムは、液晶装置の製造過程で最終的には除去されてしまうものの、一般的にプラスチック樹脂材料を、加圧成形や押し出し成形などの方法を用いてフィルム化しているため、必ずしも光学的に等方ではなく、材料の分子方向が特定の方向に揃った光学異方性を有している場合がある。
したがって、偏光板を液晶セルの表面に貼り付けるにあたり、上記光照射による光学設計条件位置合わせ方法を用いると、光強度が最小または最大となるという液晶セルと偏光板との相対的な位置を、高精度に特定し難いという課題があった。
また特許文献４では、保護フィルムと、離型フィルムのうち少なくとも一方の、液晶層と平面的に重なる平面領域の特定箇所に、開口部を選択的に設けることで、各フィルム自体が有する光学異方性の影響を受けずに位置調整をすることが可能であるものの、保護フィルムまたは離型フィルムの、部分的に偏光板上となる位置に開口部を設ける必要があるため、偏光板上の該開口部箇所の偏光板が露出してしまうため、偏光板の保護が完全ではなくなり、さらに特許文献２〜４では、光照射により、液晶セルと偏光板との光学設計条件位置調整を行う必要があるため、そのための工程が必要であり、かつ、それにより、コスト的にも費用がかかるという課題があった。
そこで本発明の目的は、偏光板を、光学軸方向に合わせた外形カットを必要とせずとも、目視のみで、簡易的に、かつ、正確に、偏光体を、液晶セル表面に貼り付ける際の偏光板配置把握を容易とすることができる、液晶装置用偏光体およびその製造方法を提供することにある。
【手続補正４】
【補正対象書類名】明細書
【補正対象項目名】０００８
【補正方法】変更
【補正の内容】
【０００８】
本発明者らは、上記課題を解決すべく鋭意検討したところ、液晶装置用偏光体に、光学異方性を示す光学軸を有する少なくとも１枚の偏光板と、該偏光板の一方の面を覆う保護フィルムと、該偏光板の他方の面を覆うように設けられた粘着層と、該粘着層を覆う離型フィルムとを具備させた際、該保護フィルムまたは該離型フィルムのいずれか１つを、該偏光板よりも大きい面積とし、該偏光板よりも大きい面積を有する保護フィルムまたは離型フィルムの偏光板形状外表面に、目視で確認可能な、該偏光体を、液晶セル表面貼り付けの際の該偏光板配置を示す加工を施しておけば、偏光板の光学軸方向に合わせた外形カットを必要とせずとも、目視のみで、簡易的に、かつ、正確に、偏光体を、液晶セル表面に貼り付ける際の偏光板配置把握を容易とすることができることを見出し、以下に示す適用例として、本発明を完成することに至った。
【手続補正５】
【補正対象書類名】明細書
【補正対象項目名】００１５
【補正方法】変更
【補正の内容】
【００１５】
［適用例７］
本適用例の液晶装置用偏光体の製造方法は、液晶層が挟持された一対の基板からなる液晶セルの少なくとも一方の表面に貼り付けられる液晶装置用偏光体の製造方法であって、該偏光体は、光学異方性を示す光学軸を有する少なくとも１枚の偏光板と、該偏光板の一方の面を覆う保護フィルムと、該偏光板の他方の面を覆うように設けられた粘着層と、該粘着層を覆う離型フィルムとを具備し、偏光原板から、所定形状の偏光体原板を形成する工程と、該偏光体原板の保護フィルムまたは離型フィルムのいずれか１つが、偏光板よりも大きい面積を有し、かつ、該大きい面積を有する保護フィルムまたは離型フィルムの偏光板形状外表面に、該偏光体を、該液晶セル表面に貼り付ける際の偏光板配置を示すよう、加工を施し、所定形状の偏光体を形成する工程と、を備えたことを特徴とする。
この方法によれば、偏光体原板の保護フィルムまたは離型フィルムのいずれか１つが、偏光板よりも大きい面積を有し、かつ、偏光体原板の保護フィルムまたは離型フィルムの偏光板形状外表面となる箇所に対し、偏光体を、液晶セル表面に貼り付ける際の偏光板配置を示すよう、加工を施すので、偏光板に影響を与えずに加工でき、所望の加工が施された偏光体を歩留まりよく製造することができる。
【手続補正６】
【補正対象書類名】明細書
【補正対象項目名】００１６
【補正方法】変更
【補正の内容】
【００１６】
本発明における液晶装置用偏光体は、該偏光体が、光学異方性を示す光学軸を有する少なくとも１枚の偏光板と、該偏光板の一方の面を覆う保護フィルムと、該偏光板の他方の面を覆うように設けられた粘着層と、該粘着層を覆う離型フィルムとを具備し、該保護フィルムまたは該離型フィルムのいずれか１つは、該偏光板よりも大きい面積を有しており、該偏光板よりも大きい面積を有する保護フィルムまたは離型フィルムは、偏光板形状外表面に、該偏光体を、該液晶セル表面に貼り付ける際の該偏光板配置を示す加工が付加しているため、偏光体の保護フィルムまたは離型フィルムの偏光板よりも大きい面積箇所である偏光板形状外表面に、液晶層が挟持された一対の基板からなる液晶セルの少なくとも一方の表面に偏光体を貼り付ける際の偏光板配置を示す加工を、偏光板自体に影響を与えることなく付加しているため、偏光板を、光学軸方向に合わせた外形カットを必要とせずとも、目視のみで、簡易的に、かつ、正確に、偏光体を、液晶セル表面に貼り付ける際の偏光板配置把握を容易とすることができる有用なものである。
【手続補正７】
【補正対象書類名】明細書
【補正対象項目名】００２４
【補正方法】変更
【補正の内容】
【００２４】
上記粘着層は、ガラスなどの基板の表面に偏光板を貼り付けることを想定して、アクリル系粘着材が好適に用いられるが、偏光板の光学特性に影響を与えない、一般的に感圧接着剤と呼ばれるものであれば、何でもよい。
具体的には、（メタ）アクリレート系、オキセタン系、スチレンブタジエンゴム系、ブチルゴム系、天然ゴム系、シリコーンゴム系、ポリイソプレン系、ポリブテン系、ポリビニルエーテル系、アクリル樹脂系、ポリエステル系等などが挙げられる。
なお、粘着剤の塗布手段は特に限定されず、ロールコーティング法、またはグラビアコーティング法などを含めた、公知の塗布技術を採用することができ、または、あらかじめ粘着層を、互いに剥離力の異なるセパレーター同士で挟んだ、ノンキャリアタイプの粘着層を、偏光板に貼合させることでも、形成することができる。
【手続補正８】
【補正対象書類名】明細書
【補正対象項目名】００４１
【補正方法】変更
【補正の内容】
【００４１】
（実施例３）
図８（ａ）に示すように、長さ方向に沿った光学軸（点線の両矢印）を有するロール状に巻かれた長尺帯状の偏光原板４０を、レーザー加工機（炭酸ガスレーザー）により、該偏光原板の長さ方向Ａを０°とした際、長さ方向Ａに対して左回りに１３５°の角度で所定間隔毎に裁断することにより、大形平行四辺形形状の第２偏光体原板４４を作製した。
続いて図８（ｂ）に示すように、該大形平行四辺形形状の第２偏光体原板４４を、該レーザー加工機により、両長辺に対して直角に所定間隔毎に矩形形状にカットして、小形矩形形状の第１偏光体原板４５としてから（この段階で、小形矩形形状の第１偏光体原板４５の光学軸方向は、短辺と長辺とが形成する角度の半分である４５°となっている）、引き続き図８（ｃ）に示すように、該小形矩形形状の第１偏光体原板４５の離型フィルム９３側表面より、該レーザー加工機によるハーフカットを行い、ハーフカット層５２（偏光板９４）は正方形形状、保護フィルム９０は偏光板９４よりも大きな面積となるようにカットした後、保護フィルム９０の偏光板形状外表面に、偏光板９４の光学軸方向を示す４５°方向のカットを、該レーザー加工機により行うことで、保護フィルムが偏光板９４よりも大きい面積を有し、保護フィルムの偏光板形状外表面に、液晶セル表面に貼り付ける際の偏光板配置を示す形状加工が施された実施例３の液晶装置用偏光体２２を作製した。
【手続補正９】
【補正対象書類名】明細書
【補正対象項目名】００４７
【補正方法】変更
【補正の内容】
【００４７】
以上本発明の液晶装置用偏光体およびその製造方法は、構成によれば、偏光体の保護フィルムまたは離型フィルムの偏光板よりも大きい面積箇所である偏光板形状外表面に、液晶層が挟持された一対の基板からなる液晶セルの少なくとも一方の表面に偏光体を貼り付ける際の偏光板配置を示す加工を、偏光板自体に影響を与えることなく付加しているため、偏光板を、光学軸方向に合わせた外形カットを必要とせずとも、目視のみで、簡易的に、かつ、正確に、偏光体を、液晶セル表面に貼り付ける際の偏光板配置把握を容易とすることができ、方法によれば、偏光板よりも大きい面積を有する、偏光体原板の保護フィルムまたは離型フィルムの偏光板形状外表面となる箇所に対し、偏光体を、液晶セル表面に貼り付ける際の偏光板配置を示すよう、加工を施すので、偏光板に影響を与えずに加工でき、所望の加工が施された偏光体を歩留まりよく製造することができるものである。
【手続補正１０】
【補正対象書類名】明細書
【補正対象項目名】００４８
【補正方法】変更
【補正の内容】
【００４８】
１：ＣＦ側偏光板、２：ＴＦＴ側偏光板、
３、９２、９５、１０２、１０５、１１１：粘着層、
４、８０、９０、１００：保護フィルム、
５、９３、９６、１０３、１０６、１１２：離型フィルム、
６：偏光フィルム、７：支持フィルム、
１０、９１、９４、１０１、１０４、１１０：偏光板、
２０：液晶装置用偏光体、２１：実施例１液晶装置用偏光体、
２２：実施例３液晶装置用偏光体、２３：実施例７液晶装置用偏光体、
２４：実施例８液晶装置用偏光体、
３１：液晶装置、３２：液晶セル、４０：偏光原板、４１：偏光体原板、
４２：大形平行四辺形形状の第１偏光体原板、
４３：小形平行四辺形形状の第１偏光体原板、
４４：大形平行四辺形形状の第２偏光体原板、４５：小形矩形形状の第１偏光体原板、
４６：大形矩形形状の偏光体原板、４７：小形矩形形状の第２偏光体原板、
５０〜５４：ハーフカット層、６１、６２：偏光板形状外表面を示す一例、
７０：空洞、７１：印、７２：矩形形状のカット（型抜き）、
７３：ドライデカール（イラストレタリング）
【手続補正１１】
【補正対象書類名】図面
【補正対象項目名】図５
【補正方法】変更
【補正の内容】
【図５】
2017181994.tif 000001
【手続補正１２】
【補正対象書類名】図面
【補正対象項目名】図７
【補正方法】変更
【補正の内容】
【図７】
2017181994.tif 000002